【手続補正書】
【提出日】平成19年4月12日(2007.4.12)
【手続補正１】
【補正対象書類名】特許請求の範囲
【補正対象項目名】全文
【補正方法】変更
【補正の内容】
【特許請求の範囲】
【請求項１】
第１及び第２光ディスクに対応する光ヘッドのレンズに対向して配置され、第１格子領域及び第２格子領域を有する回折基板と、
前記レンズからの光が前記回折基板で回折した異なる次数の回折光の干渉により形成された干渉縞を撮像する撮像部と、
前記回折光の位相を変化させる位相変化手段と、
位相変化前後の前記干渉縞に基づいて前記レンズの特性を検出する特性検出部と、
検出された前記レンズの特性に基づいて前記光ヘッドのレンズを調整する調整部と、を備え、
前記第１格子領域における前記回折基板の厚さは前記第１光ディスクの１層の厚さと等しく、前記第２格子領域における前記回折基板の厚さは前記第２光ディスクの１層の厚さと等しいこと
を特徴とする光ヘッド調整装置。
【請求項２】
前記レンズからの光が前記回折基板で回折した異なる次数の回折光を第１回折光と第２回折光とに分離する光分離手段を更に備え、
前記撮像部が、前記第１回折光の干渉により形成された干渉縞を撮像する第１撮像部と、前記第２回折光の干渉により形成された干渉縞を撮像する第２撮像部とを有し、
前記特性検出部が、前記第１撮像部で撮像された干渉縞に基づいて光ヘッドの第１光源に対する前記レンズの特性を検出する第１特性検出部と、前記第２撮像部で撮像された干渉縞に基づいて前記光ヘッドの第２光源に対する前記レンズの特性を検出する第２特性検出部とを有すること
を特徴とする請求項１記載の光ヘッド調整装置。
【請求項３】
前記レンズからの光が前記回折基板で回折した異なる次数の回折光の焦点近傍に設けられ、前記第１又は第２光源の光のうち、センタービームの光を通過させてサイドビームの光を遮断するアパーチュア板を更に備えること
を特徴とする請求項２記載の光ヘッド調整装置。
【請求項４】
前記第１格子領域における回折基板の厚さが前記第２格子領域における前記回折基板の厚さより薄く、
前記第１格子領域が前記回折基板の凹部に位置すること
を特徴とする請求項１から３のいずれかに記載の光ヘッド調整装置。
【手続補正２】
【補正対象書類名】明細書
【補正対象項目名】０００７
【補正方法】変更
【補正の内容】
【０００７】
回折干渉方式により光ヘッド１の光学系の調整を行う従来の調整装置の例を図４及び図５に示す。図４はＤＶＤ用の光源の調整装置の側面図であり、図５はＣＤ用の光源の調整装置の側面図である。
図４及び図６を参照してＤＶＤ用の光源の調整を説明する。測定対象の光ヘッド１が２本の基準シャフト２によって保持されている。ＤＶＤ用光源１９の放射光は前記のようにダイクロイックプリズム１Ｂによって反射されコリメートレンズ１Ｄにより平行光になる。コリメートレンズ１Ｄからの出射光は反射ミラー１Ｅにより反射され、対物レンズ１６を有するアクチュエータ２５に入射する。アクチュエータ２５は、対物レンズ１６を制御して入射光のトラッキング制御、フォーカス制御及びチルト制御を行うそれぞれの駆動部を有するが本発明と直接関係がないので説明を省略する。アクチュエータ２５は調整機構２５Ｂにより、光軸１Ｃに対する傾きを調整できるようになされている。アクチュエータ２５の対物レンズ１６からの出射光は図４に示すフォーカスユニット８に入射する。フォーカスユニット８には、ＤＶＤ用の回折格子１１を形成した平面基板１０が光ヘッド１に対向して設けられている。平面基板１０は移動ステージ９に取付けられて、図の左右方向に０．５５μｍの振幅で振動する（振動数は例えば３Ｈｚ）。フォーカスユニット８内の対物レンズ３は前記回折格子１１に対向し、平面基板１０は対物レンズ３の焦点深度内にあるようにそれぞれ配置されている。フォーカスユニット８の上方には結像レンズ４が設けられ、これは対物レンズ３を通過した光の像をＣＣＤ素子５に結像する。結像レンズ４とＣＣＤ素子５は撮像ユニット７を構成する。撮像ユニット７の出力信号は回折干渉方式の画像処理部６に入力され、この出力信号に基づいて干渉縞が形成され、画像処理部６の表示部４４に表示される。平面基板１０は、例えば平面性の良いガラス板で構成され、その厚さは光ヘッド１の出射光に対応する光ディスクの、表面から記録面までの厚さとほぼ同じに作られている。図４ではＤＶＤなので厚さは０．６ｍｍである。回折格子１１は、光ヘッド１の対物レンズ１６の開口径とＤＶＤ用光源１９の光の波長を基にして算出されたピッチ０．５５μｍの回折格子である。
【手続補正３】
【補正対象書類名】明細書
【補正対象項目名】００１６
【補正方法】変更
【補正の内容】
【００１６】
本発明によれば、第１の光ディスク方式の光と第２光ディスク方式の光を同一の焦点位置に集光する結像レンズを用いているので、第１又は第２の光ディスク方式の光を用いて光ヘッドを調整するとき、結像レンズ、アパーチュア板及び撮像部の位置関係を変えなくてもよい。
本発明のさらに他の観点の光ヘッドの調整装置は、第１及び第２光ディスクに対応する光ヘッドのレンズに対向して配置され、第１格子領域及び第２格子領域を有する回折基板と、前記レンズからの光が前記回折基板で回折した異なる次数の回折光の干渉により形成された干渉縞を撮像する撮像部と、前記回折光の位相を変化させる位相変化手段と、位相変化前後の前記干渉縞に基づいて前記レンズの特性を検出する特性検出部と、検出された前記レンズの特性に基づいて前記光ヘッドのレンズを調整する調整部と、を備え、前記第１格子領域における前記回折基板の厚さは前記第１光ディスクの１層の厚さと等しく、前記第２格子領域における前記回折基板の厚さは前記第２光ディスクの１層の厚さと等しいことを特徴とする。
本発明のさらに他の観点の光ヘッドの調整装置は、前記レンズからの光が前記回折基板で回折した異なる次数の回折光を第１回折光と第２回折光とに分離する光分離手段を更に備え、前記撮像部が、前記第１回折光の干渉により形成された干渉縞を撮像する第１撮像部と、前記第２回折光の干渉により形成された干渉縞を撮像する第２撮像部とを有し、前記特性検出部が、前記第１撮像部で撮像された干渉縞に基づいて光ヘッドの第１光源に対する前記レンズの特性を検出する第１特性検出部と、前記第２撮像部で撮像された干渉縞に基づいて前記光ヘッドの第２光源に対する前記レンズの特性を検出する第２特性検出部とを有することを特徴とする。
本発明のさらに他の観点の光ヘッドの調整装置は、前記第１格子領域における回折基板の厚さが前記第２格子領域における前記回折基板の厚さより薄く、前記第１格子領域が前記回折基板の凹部に位置することを特徴とする。
【手続補正４】
【補正対象書類名】明細書
【補正対象項目名】００２０
【補正方法】変更
【補正の内容】
【００２０】
光ヘッド１に対向してフォーカスユニット２９が設けられている。フォーカスユニット２９は、光ヘッド１の対物レンズ１６に対向する平面基板５０、平面基板５０が取付けられた移動ステージ５３及び平面基板５０に対向する対物レンズ３０を備えている。平面基板５０は移動ステージ５３により、矢印２８で示すように図の左右方向に移動する。平面基板５０の移動ストロークは後で説明する図３の（ａ）に示す距離Ａである。距離Ａは、平面基板５０の大きさに応じて５〜５００μｍの間で所定値に設定するが、通常５０μｍ程度である。移動ステージ５３には、例えばピエゾ素子が組込まれており、圧電効果を利用して平面基板５０を移動させる。フォーカスユニット２９の上方にはハーフミラー等によるビームスプリッタ３１が設けられている。対物レンズ３０から出射した光はビームスプリッタ３１で直行する光３２と直角に曲がる光３３とに分けられる。光３２はＤＶＤ用撮像部３９の結像レンズ３４によってＣＣＤ等の撮像素子３５に結像し検出される。光３３はＣＤ用撮像部３６の結像レンズ３７によって集束され、アパーチュア板２１を通るセンタービームの光のみが撮像素子３８によって検出される。光３３のサイドビームはアパーチュア板４０により遮断され撮像素子３８には入射しない。撮像素子３５及び３８の出力は画像処理部４３に入力され、表示部４４に表示される干渉縞により回折干渉方式を用いて調整を行う。
【手続補正５】
【補正対象書類名】明細書
【補正対象項目名】００２２
【補正方法】変更
【補正の内容】
【００２２】
ＤＶＤ用光源１９を用いて調整するときは、移動ステージ５３により平面基板５０を左方に移動させて、回折格子５９を光ヘッド１と対物レンズ３０との間に挿入する。さらに調整中は平面基板５０を移動ステージ５３により、振幅０．５５μｍで、矢印２８に示すように回折格子５９の格子に直角の方向に振動させる。またＣＤ用光源１７を用いて調整するときは、移動ステージ５３により平面基板５０を右方に移動させて、回折格子５８を光ヘッド１と対物レンズ３０との間に挿入する。調整中、平面基板５０を上記と同じ方向に振幅０．８８μｍで振動させる。振動の周波数は共に約３Ｈｚである。
図１に示す本実施例の光ヘッド調整装置を用いて光ヘッド１を調整する操作を図１、図３、図６を参照して説明する。まず光ヘッド１を図１の調整装置の基準シャフト２にセットし、ＤＶＤ用光源１９を点灯する。移動ステージ５３により平面基板５０を移動させて、回折格子５９を光ヘッド１の対物レンズ１６とフォーカスユニット２９の対物レンズ３０との間に置き、振幅０．５５μｍで振動させる。またＤＶＤ用撮像部３９と画像処理部４３を動作状態にする。